(57)【特許請求の範囲】
【請求項１】
下面を拭取り面２とした板状のモップ本体１上面から、斜上後方へ柄３を突出するとともに、この柄を、モップ本体側の柄基部を除いて横断面逆凹字状に形成したモップにおいて、
横断面凹字状に、底板12の左右両側から左右側板13、13を起立する継柄11を設けて、上記柄の先端部を継柄基部の底板上へ載置させると共に左右側板13、13間に挾持させて、
上記底板12に載置された柄先端部のうち更に先端寄りの部分を、継柄の左右側板に枢着させ、該枢着部分を中心に該継柄を柄３の上外面へ嵌合可能とするとともに、
上記柄３先端部が、継柄基端部の底板12上へ載置されかつ左右側板13、13間に挾持された状態で、枢着部よりも継柄基端部側の左右側板部分の少なくとも一方と、該部分に対向する柄外面部分とに、係合手段を形成したことを特徴とする簡易モップ。
【請求項２】
上記係合手段は、凹部ないし透孔７とこれ等凹部等内へ嵌合する弾性変位可能な突部15とで形成し、上記枢着部を中心とする継柄11の回動により凹部等内から突部15が離脱可能としたことを特徴とする請求項１記載の簡易モップ。
【発明の詳細な説明】
【０００１】
【発明の属する技術分野】
本発明は、主として網戸、窓等に使用するための簡易モップ（或いは小形モップ）に関する。
【０００２】
【従来の技術】
下面を拭取り面とした板状のモップ本体上面から斜上外方へ柄を突出する小形モップが知られている。
【０００３】
【発明が解決しようとする課題】
従来の小形モップは、使い易くするため柄も短かくしているが、時には高い場所等モップ本体が届かないこともあり、このような場合には不便があった。
【０００４】
本発明は柄を折畳み式として、通常柄を短かくして使用するが、上記のような場合は柄を長くして使用できるよう設けたものである。
【０００５】
【課題を解決するための手段】
第１の手段として、下面を拭取り面２とした板状のモップ本体１上面から、斜上後方へ柄３を突出するとともに、この柄を、モップ本体側の柄基部を除いて横断面逆凹字状に形成したモップにおいて、
横断面凹字状に、底板12の左右両側から左右側板13、13を起立する継柄11を設けて、上記柄の先端部を継柄基部の底板上へ載置させると共に左右側板13、13間に挾持させて、
上記底板12に載置された柄先端部のうち更に先端寄りの部分を、継柄の左右側板に枢着させ、該枢着部分を中心に該継柄を柄３の上外面へ嵌合可能とするとともに、
上記柄３先端部が、継柄基端部の底板12上へ載置されかつ左右側板13、13間に挾持された状態で、枢着部よりも継柄基端部側の左右側板部分の少くとも一方と、該部分に対向する柄外面部分とに、係合手段を形成した。
【０００６】
第２の手段として、上記第１の手段と有すると共に、上記係合手段は、凹部ないし透孔７とこれ等凹部等内へ嵌合する弾性変位可能な突部15とで形成し、上記枢着部を中心とする継柄11の回動により凹部等内から突部15が離脱可能とした。
【０００９】
【発明の実施の形態】
図１から図５が示す本発明の実施形態について説明すると、１は下面を拭取り面２とした板状のモップ本体で、該モップ本体上面から斜上外方へ柄３を突出している。該柄は基端部3aを適宜形状に拡開させてモップ本体上面へ固着させている。
【００１０】
柄３はその基部を除き、横断面逆凹字状に、頂板４の左右両側から左右側板５、５を垂下させて形成しており、又その左右側板の先端部からは、後述の継柄枢着用のピン６、６を外方へ突出し、かつそれ等ピンとの間に小間隙をおいて柄基端側に図５が示す透孔７、７を穿設している。
【００１１】
11は上記柄に折畳み自在に連結させた継柄で、該継柄は横断面凹字状に底板12の左右両側から左右側板13、13を起立させて形成している。それ等両側板間の間隙は上記柄左右側板５、５の外面間横巾とほぼ同一とし、図１が示すように上記柄先端部を、継柄の基部の底板部分上へ載置させると共に左右側板13、13間に挾持させ、上記ピン６、６を左右側板に穿設したピン嵌合孔14、14内へ嵌合させて柄先端部と継柄基部とを枢着させている。
【００１２】
又上記ピン嵌合孔よりも基端側の左右側板部分には、図３が示すように既述透孔７、７内へ嵌合させた突部15、15を内面に有する弾性片16、16を、それ等両側板への切り離し線17、17穿設によって形成している。その切り離し線はＵ字状ないし逆Ｕ字状として基端を左右側板13と連続させて形成すればよい。
【００１３】
上記突部15、15は、上記枢着部分を中心として、継柄先端部上方押上げによる継柄回動によって透孔７、７から弾性変位して離脱可能であり、図２が示すように上記回動により継柄11を柄３の上外面へ嵌合可能とする。該嵌合はやや固嵌め状態で行えるよう設けている。
【００１４】
尚該嵌合状態において継板11の左右側板13、13下面は、柄３の左右側板５、５下面よりも下方に位置するよう設けて、上記嵌合状態から継柄左右側板13、13の先端部下面を柄３に対して押上げすることで、継柄先端部の底板部分が柄３の頂板４から離れるよう設け、柄上面から離れた底板先端部分に指を掛けて継柄３を回動させることで、再び図１のように柄３先端から継柄11が延出する状態に戻すことが可能としている。
【００１５】
図６から図８は本発明参考例を示す。該実施形態の場合もモップ本体１および柄３は第１実施形態の場合と同様に形成している。
【００１６】
継柄11は実施形態の場合とは逆に横断面逆凹字形状に頂板21の左右両側から左右側板13、13を垂下させて形成し、図６が示すように継柄基部を柄３の先端部内へ嵌合させ、それ等柄と継柄の各左右側板をその一方から突出させたピン６、６を他方へ穿設したピン嵌合孔14、14内へ嵌合させることで枢着させている。
【００１７】
又その枢着位置から継柄先端側へやや離れた柄左右側板部分にはＵ字形状切離し線17、17で弾性片16、16を形成し、それ等弾性片内面に突部15、15を付設し、これ等突部に対応する継柄の左右側板部分には透孔７、７を穿設している。
【００１８】
上記継柄11は図７が示すように上記枢着を中心として回動させることで柄３内へ嵌合可能とする。該嵌合もやや固嵌め状態となし、人為的に継柄11先端部を引き下げない限り柄内から外れないよう設けている。その先端部引き下げは、柄基部内に指を入れ、かつ該指を継柄頂板21の先端部下面へ掛け、そのまま引き下げればよい。
【００１９】
【発明の効果】
本発明は既述構成とするものであり、請求項１記載の場合は、柄３先端部へ継柄11基部を枢着させ、柄を短かく使用する場合は上記枢着位置を中心とする継柄回動によって柄３の上外面へ継柄を嵌合し収納させて使用でき、又柄を長くして使用する際は、上記枢着位置を中心とする回動により継柄11を柄先端から更に外方へ延出させて使用することが出来るから、継柄11が邪魔となったり、又脱落したりすることがない。
【００２０】
請求項２のようにすることで、柄の全体長さを長くして使用する場合も、柄３と継柄11との連結を確実として使用することが出来る。
【図面の簡単な説明】
【図１】 継柄を外方突出させた状態で示す本発明モップの斜視図である。
【図２】 柄外面上へ、継柄を嵌合させた状態で示す斜視図である。
【図３】 図１要部の拡大断面図である。
【図４】 図２要部の拡大断面図である。
【図５】 図３Ａ−Ａ線の断面図である。
【図６】 参考例で示す、モップの斜視図である。
【図７】 図６状態から継柄を柄内へ嵌合させた状態で示す斜視図である。
【図８】 図６要部の断面図である。
【符号の説明】
１…モップ本体                ３…柄
６…ピン                      ７…透孔
11…継柄                      12…底板
14…ピン嵌合孔                16…弾性片
17…切り離し線
【図１】
0004193968.tif 000002
【図２】
0004193968.tif 000003
【図３】
0004193968.tif 000004
【図４】
0004193968.tif 000005
【図５】
0004193968.tif 000006
【図６】
0004193968.tif 000007
【図７】
0004193968.tif 000008
【図８】
0004193968.tif 000009